(57)【要約】【課題】金属時計ケースを使用しても、何の支障もなく電波を受信することができ、防水品質および外観品質の向上並びにデザインバリエーションの拡大を図ることが可能な電波時計のケース構造を提供することにある。【解決手段】このケース構造においては、アンテナ３７と時計装置とを収納した時計ケース３０、裏蓋３３の内側面に凹部を設け、この凹部に電気抵抗率が７．０μΩ−ｃｍ以下に設定された非磁性部材４２、４３を係合している。凹部を設け、ここに非磁性部材４２、４３を係合することで、金属材料に起因するアンテナ近傍での共振現象の乱れを低減することができ、金属時計ケースであっても十分な受信感度を得ることができる。これにより電波時計であっても時計ケースにチタン、ステンレス鋼等を使用することができるようになる。【選択図】 図１
2006275580.tif 000002
【特許請求の範囲】
【請求項１】
アンテナと時計装置とを収納した時計ケースと裏蓋からなり、該時計ケースと該裏蓋の少なくとも一方の内側面に凹部を設け、その凹部に電気抵抗率が７．０μΩ−ｃｍ以下に設定された非磁性部材を係合したことを特徴とする電波時計のケース構造。
【請求項２】
前記時計ケースは、チタン、チタン合金、ステンレス鋼、タングステンカーバイト、タンタルカーバイトのいずれか少なくとも１つからなり、前記時計ケースの凹部に前記非磁性部材が係合されていることを特徴とする請求項１記載の電波時計のケース構造。
【請求項３】
前記時計ケースに取り付け固定された裏蓋は、チタン、チタン合金、ステンレス鋼、タングステンカーバイト、タンタルカーバイトのいずれか少なくとも１つからなり、前記裏蓋の凹部に前記非磁性部材が係合されていることを特徴とする請求項１記載の電波時計のケース構造。
【請求項４】
前記非磁性部材は、金、銀、銅、黄銅、アルミニウム、マグネシウム、亜鉛またはそれらの元素を２つ以上組み合わせた合金のいずれか少なくとも１つからなることを特徴とする請求項１から３のいずれかに記載の電波時計のケース構造。
【請求項５】
前記非磁性部材は、金、銀、銅、黄銅、アルミニウム、マグネシウム、亜鉛またはそれらの元素を２つ以上組み合わせた合金のいずれかからなる部材が、少なくとも２つ接合されて形成されていることを特徴とする請求項１から３のいずれかに記載の電波時計のケース構造。
【請求項６】
前記非磁性部材の表面が樹脂部材で覆われていることを特徴とする請求項１から５のいずれかに記載の電波時計のケース構造。
【請求項７】
前記アンテナは、磁芯部材とこの磁芯部材に複数巻かれたコイルとから構成され、前記磁芯部材の軸線を含む少なくとも１つの平面に沿って、前記アンテナが平行に投影される位置に前記凹部が設けられていることを特徴とする請求項１から３のいずれかに記載の電波時計のケース構造。
【請求項８】
前記アンテナは、磁芯部材とこの磁芯部材に複数巻かれたコイルとから構成され、少なくとも前記アンテナの端部とそれぞれ相対する位置に前記凹部が設けられていることを特徴とする請求項１から３のいずれかに記載の電波時計のケース構造。
【請求項９】
前記非磁性部材は、圧入、カシメ、溶接、ロー付、接着剤の中の少なくとも１つの手段で前記時計ケースの凹部に係合されていることを特徴とする請求項１、２、４から８のいずれかに記載の電波時計のケース構造。
【請求項１０】
前記非磁性部材は、圧入、カシメ、溶接、ロー付、接着剤の中の少なくとも１つの手段で前記裏蓋の凹部に係合されていることを特徴とする請求項１、３から８のいずれかに記載の電波時計のケース構造。
【請求項１１】
前記時計ケースに係合された前記非磁性部材は、湿式メッキ法または金属溶射法の手段で形成されていることを特徴とする請求項１、２、４から９のいずれかに記載の電波時計のケース構造。
【請求項１２】
前記裏蓋に係合された前記非磁性部材は、湿式メッキ法または金属溶射法の手段で形成されていることを特徴とする請求項１、３から８、１０のいずれかに記載の電波時計のケー
ス構造。
【請求項１３】
前記非磁性部材は、５０μｍから２０００μｍの範囲の厚さを有していることを特徴とする請求項１から１２のいずれかに記載の電波時計のケース構造。
【発明の詳細な説明】
【技術分野】
【０００１】
本発明は、時刻情報を含む所定の電波を受信して時刻を表示する電波時計に関するものであり、特に、通常の金属時計ケースを使用した場合における電波受信性能の向上を目指した電波時計のケース構造に関するものである。
【背景技術】
【０００２】
標準電波を受信する電子時計、即ち時刻情報を含む標準電波（搬送波）を受信し、この電波から時刻情報を取り出すことにより、正確な時刻を得ることのできる電波時計は既に知られている。この時刻情報を含む電波は、各国毎に周波数が異なり、例えば、日本では４０ｋＨｚおよび６０ｋＨｚの標準電波が発信されている。
【０００３】
図５は、このような電波時計の機能の概略を示すブロック図である。この電波時計は、アンテナ１、電波時計受信機２、ＣＰＵ３、表示駆動部４、入力装置５等から構成されている。その他、図示していないが時分秒の各指針または液晶等による表示部が含まれている。
【０００４】
この電波時計においては、はじめにアンテナ１で時刻情報を含む電波を受信する。電波時計受信機２は、アンテナ１が受信した電波を増幅検波し、電波から時刻情報を取り出して出力する。ＣＰＵ３は、電波時計受信機２から出力された時刻情報に基づき、現在時刻データを出力する。表示駆動部４は、ＣＰＵ３から出力された現在時刻データに基づき、表示部に現在時刻を表示させる。なお、入力装置５は、例えば、ＣＰＵ３に対してリセット等の操作情報を入力する際に使用される。
【０００５】
電波に含まれている時刻情報（タイムコード）は、６０秒周期のパルス信号であり、１秒ごとに、２００、５００、８００msecのいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報（現在時刻）を取得する。そして、ＣＰＵは、取得した時刻情報により、表示駆動部４を介して表示部における表示時刻を修正する。よって、電波時計は、受信した時刻情報に基づき、表示時刻が所定間隔毎に修正されることにより、常に正確な時刻を表示できる。
【０００６】
このような電波時計として、アンテナ、電波時計受信機、ＣＰＵ、表示駆動部および表示部を、アンテナ収納体であるケースの中に収納した腕時計が、すでに提供されている。このケースの素材には、アンテナが電波を受信するために合成樹脂やセラミックなどの非導電性材料が主として用いられてきた。即ち、金属などの導電材料からなるケース内部にアンテナを収納すると、アンテナ近傍に発生する磁束が導電材料に吸い取られ、共振現象が妨げられるため、アンテナが標準電波を受信できなくなるほどに、アンテナの受信機能が低下してしまうからである。
【０００７】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。このため、ケースに金属を用いた電波腕時計が提案されている。
【０００８】
図６は、ケースの一部に金属を用いた電波腕時計の構造の一例を示す断面図である。この腕時計のケース１０は、胴１１と裏蓋１２と風防１３とから概略構成されている。バンド（図示せず）が連結される胴内部に、ムーブメント１４が公知の手段で配置されている
。ムーブメント１４の上方には、時刻表示部である文字板１５と針１６が、同じく公知の手段で配置されている。そして、ムーブメント１４の下方で、かつ裏蓋１２の上方に位置するように、磁気長波アンテナであるバーアンテナ１７が配置されている。このバーアンテナ１７は、フェライト材からなる磁芯部材１８と、この磁芯部材１８に巻回されたコイル２０とよりなり、合成樹脂製の保持部材の上面に固定されている。
【０００９】
ムーブメント１４は、前述した電波時計受信機、ＣＰＵ、および表示駆動部を備え、導線２１によってバーアンテナ１７と電気的に導通される。従って、バーアンテナ１７が受信した標準電波に基づいて、ムーブメント１４のＣＰＵが、表示駆動部における、図示しないギア機構を動作させて、表示部の針１６の位置を常に修正するように駆動する。なお、ここで、上下方向とは、図６における上下を示している。
【００１０】
胴１１は導電材料で中空でない、即ちソリッド金属、たとえばソリッドステンレス鋼からなる。胴１１の最上部には、非導電材料であるガラスからなる風防１３が、接着等の公知の手段で固定される。文字板１５は、非導電材料である合成樹脂やセラミックなどからなる。裏蓋１２は、胴１１に固定されたステンレス鋼からなる環状の縁枠２２と、縁枠内に固定されたガラス２３とからなる。このように、この腕時計は、ケースの上下面には非導電材料が視認されるものの、ケースの側面部分を金属で構成しているため、装身具としての高級感や美観を損なわないという利点がある（特許文献１参照）。
【特許文献１】特開２００１−３３５７１号公報
【発明の開示】
【発明が解決しようとする課題】
【００１１】
しかしながら、図６に示される腕時計は、携帯使用する上での電波受信性能について大きな問題はないが、裏蓋１２の縁枠２２にガラス２３が固定されているため、腕時計を落とす等の衝撃を与えるとガラス２３が破損するという問題がある。また、裏蓋１２は、腕に密接しているので、長期の使用において、汗等によりガラス２３が縁枠２２から外れたり、腕時計内部のムーブメント（アンテナ１、電波時計受信機２、ＣＰＵ３、表示駆動部４等）に汗、水、ホコリ等が入り込み、腕時計としての機能を著しく低下させる恐れもある。
【００１２】
また、裏蓋１２にガラス２３が設けられているので、部品点数が増えると共に組立工数も増え、コストアップをまねくという問題を有していた。また、非金属部材が外装に使用されているため、腕時計としての重厚感に欠け、高級感や外観品質にも問題を有していた。
【００１３】
本発明は、上記従来技術の課題に鑑みなされたもので、通常の金属時計ケースを使用しても、携帯上、何の支障もなく時刻情報等、所定の情報を含んだ電波を受信することができ、安定した防水品質および高級感を有する外観品質の向上並びに一般の時計と同様のデザインバリエーションの拡大を図ることが可能な電波時計のケース構造を提供することにある。
【課題を解決するための手段】
【００１４】
本発明の電波時計のケース構造は、アンテナと時計装置とを収納した時計ケースと裏蓋からなり、該時計ケースと該裏蓋の少なくとも一方の内側面に凹部を設け、その凹部に電気抵抗率が７．０μΩ−ｃｍ以下に設定された非磁性部材を係合したことを特徴とする。
また、前記時計ケースや裏蓋は、チタン、チタン合金、ステンレス鋼、タングステンカーバイト、タンタルカーバイトのいずれか少なくとも１つからなり、前記時計ケースおよび／または裏蓋の凹部に前記非磁性部材が係合されていることを特徴とする。
【００１５】
また、前記非磁性部材は、金、銀、銅、黄銅、アルミニウム、マグネシウム、亜鉛またはそれらの元素を２つ以上組み合わせた合金のいずれか少なくとも１つからなることを特徴とする。
また、前記非磁性部材は、金、銀、銅、黄銅、アルミニウム、マグネシウム、亜鉛またはそれらの元素を２つ以上組み合わせた合金のいずれかからなる部材が、少なくとも２つ接合されて形成されていることを特徴とする。
【００１６】
また、前記非磁性部材の表面が樹脂部材で覆われていることを特徴とする。
【００１７】
また、前記アンテナは、磁芯部材とこの磁芯部材に複数巻かれたコイルとから構成され、前記磁芯部材の軸線を含む少なくとも１つの平面に沿って、前記アンテナが平行に投影される位置、もしくは、少なくとも前記アンテナの端部とそれぞれ相対する位置に前記凹部が設けられていることを特徴とする。
【００１８】
また、前記非磁性部材は、圧入、カシメ、溶接、ロー付、接着剤の中の少なくとも１つの手段で前記時計ケースおよび／または裏蓋の凹部に係合されていることを特徴とする。
また、前記時計ケースおよび／または裏蓋に係合された前記非磁性部材は、湿式メッキ法または金属溶射法の手段で形成されていることを特徴とする。
また、前記非磁性部材は、５０μｍから２０００μｍの範囲の厚さを有していることを特徴とする。
【発明の効果】
【００１９】
本発明によれば、時計ケースや裏蓋の構成にガラス等の特殊な構成を使用することなく受信感度を高めることができるので、携帯上、何の支障もなく時刻情報等を含む電波を受信する電波時計を提供することができる。
【００２０】
また、時計ケースや裏蓋にチタン、ステンレス鋼等を使用することができるので、安定した防水品質と、高級感のある外観品質とを有するケース構造にすることができる。
【００２１】
さらに、時計ケースや裏蓋を、電波時計ではない一般の時計と同様に設計・製造することができるので、電波時計におけるケースのデザインバリエーションを一般の時計並に拡大することができる。
【発明を実施するための最良の形態】
【００２２】
本発明の電波時計のケース構造においては、アンテナと時計装置とを収納した時計ケースと裏蓋の少なくとも一方の内側面に凹部を形成し、この凹部に電気抵抗率が７．０μΩ−ｃｍ以下に設定された非磁性部材を係合している。また、凹部はアンテナが平行に投影される位置またはアンテナの端部とそれぞれ相対する位置に設け、ここに非磁性部材を係合する。上記箇所に凹部を設けると、アンテナと、アンテナの受信特性を低下させる金属であるチタン、チタン合金、ステンレス鋼等から形成された時計ケースおよび裏蓋との距離を取れ、金属材料に起因するアンテナ近傍での共振現象の乱れを低減することができ、かつ凹部にアンテナの受信特性を向上する非磁性部材を係合することで、金属時計ケースであっても十分な受信感度を得ることが可能となる。これにより、電波時計であっても時計ケースおよび／または裏蓋にチタン、ステンレス鋼等を使用することができるようになり、受信感度を犠牲にすることなく、時計ケースの機能、外観を向上させることができる。なお、非磁性部材の電気抵抗率等に関しては、実験による検証を重ねることで得られた最も効果的な値を提示している。
【００２３】
以下図面に基づいて本発明の実施例を説明する。図１は本発明の一実施例に係る電波時計のケース構造を示す断面図である。時計ケース３０は、略筒状をなし、その図中上方の
開口部の内周縁にある段部３０ａにパッキン３１を介してガラス３２が取り付けられ、図中下方の開口部に裏蓋３３が圧入、螺合、ネジ等の手段により取り付けられている。なお、図１に示す裏蓋３３は圧入にて時計ケース３０に取り付けられており、その立ち上がり部３３ａと時計ケース３０の内側面３０ｃとの間にパッキン４４が挟み込まれている。また、時計ケース３０は金属からなるものであり、その材質に関しては後述する。
【００２４】
時計ケース３０の中には、前述した図５に示す電波時計受信機、ＣＰＵ、および表示駆動部等を備えたムーブメント３４が収められている。ムーブメント３４の図中上方には、時刻表示部である文字板３５と指針３６が設けられている。このムーブメント３４は、時計ケース３０の段部３０ａを形成する内方突出部３０ｂの図中下面に文字板３５が当接することにより位置決めされ、裏蓋３３の上面に配設された樹脂中枠４５との間に挟み込まれることで固定されている。また、このムーブメント３４と裏蓋３３との間には所定の空間が設けられており、その空間の中にアンテナ３７が配置されている。このアンテナ３７は、フェライト材等からなる棒状の磁芯部材３８と、この磁芯部材３８に巻回されたコイル４０とから構成されており、ムーブメント３４の下面に固定されている。
【００２５】
また、本実施例においては、時計ケース３０の内側面３０ｃと裏蓋３３の内側面３３ｃに凹部３０ｄ、３３ｄを設け、この凹部３０ｄ、３３ｄに非磁性部材４２、４３を係合している。非磁性部材４２は板状をなし、裏蓋３３の立ち上がり部３３ａの内側のアンテナ３７に対面する内側面３３ｃの凹部３３ｄに係合されている。凹部３３ｄは、磁芯部材３８の軸線を含む平面に対面すると共にアンテナ３７が平行に投影される位置に配置されている。また、非磁性部材４３は、時計ケース３０の内側面３０ｃの凹部３０ｄ内に係合されるようなリング状をなすかまたはその一部を構成する彎曲した板状をしている。凹部３０ｄは、アンテナ３７の端部に相対する位置に配置されている。この非磁性部材４２、４３は、電気抵抗率が７．０μΩ−ｃｍ以下の材料からなるものであり、その材質に関しては後述する。
【００２６】
上記構成からなる電波時計においては、アンテナ３７が受信した標準電波に基づいて、ムーブメント３４内のＣＰＵが、表示駆動部を動作させて、指針３６を常に修正するように駆動する。このときに、本実施例におけるケース構造では、時計ケース３０および裏蓋３３の内側面３０ｃ、３３ｃに各凹部３０ｄ、３３ｄを設け、かつ各凹部３０ｄ、３３ｄとアンテナ３７との間に、非磁性部材４２、４３が介在しており、金属からなる時計ケース３０や裏蓋３３に起因するアンテナ近傍での共振現象の乱れを低減し、受信感度を向上させている。
【００２７】
次に、時計ケース３０および裏蓋３３と非磁性部材４２、４３の材質の選定に関する実験とその結果について説明する。はじめに、アンテナ３７の受信感度の低下が少ない金属を選定するため、０．５ｍｍ厚の金属板の上に、導体径６５μｍコイル２０００ターンの実験用アンテナを設置し、所定位置に設置された送信アンテナから４０ｋＨｚの信号を送信する実験を行った。受信状態の評価は、図２に示すように、受信した信号のピーク高さである利得と周波数帯域幅Δｆとピーク周波数ｆｏから求められるＱ値＝ｆｏ／Δｆを比較することにより行っている。なお、利得が高いほど受信感度が良好であり、Ｑ値が高いほど周波数選択性が良好であることを示す。この実験の結果、金、銀、銅、黄銅、アルミニウム、マグネシウム、亜鉛、またはそれらの元素を２つ以上組み合わせた合金のいずれかからなる上にアンテナを設置した場合は、チタン、チタン合金、ステンレス鋼、タングステンカーバイト、タンタルカーバイトの場合に比べて、利得が２〜３ｄＢ（デシベル）高くなった。
【００２８】
また、金、銀、銅、黄銅、アルミニウム、マグネシウム、亜鉛またはそれらの元素を２つ以上組み合わせた合金のいずれかからなるものに関してはＱ値が４１〜４７と高く、チ
タン、チタン合金、ステンレス鋼、タングステンカーバイト、タンタルカーバイトに関してはＱ値が３２前後と低下することが認められた。
【００２９】
次に、同様の実験を、時計ケース３０および裏蓋３３に相当する実験用外装を用いて行った。即ち、図３に示すように、時計ケース３０および裏蓋３３に相当する実験用外装５０内に、アンテナ３７に相当する実験用アンテナ５１を収めたものを樹脂板５２の上に載置し、所定位置に設置された送信アンテナ５３から一定周波数の電波を送信し、実験用アンテナ５１の受信状態を測定した。
【００３０】
この実験の結果、時計ケース３０に相当するケース部５０ａと裏蓋３３に相当する蓋部５０ｂを共に受信感度が低下すると認められたステンレス鋼等の金属のみで形成すると、Ｑ値は５と低下し、電波時計としては好ましくないことが認められた。また、ケース部５０ａを受信感度が低下すると認められたステンレス鋼等の金属で形成し、蓋部５０ｂを受信感度が良好と認められた黄銅等の金属で形成すると、Ｑ値は８前後となって受信感度が良好となった。そこで、時計外装に使用することを想定してケース部５０ａはステンレス鋼等の金属のままに、外側をステンレス鋼等の金属で形成し且つ内側に黄銅等の金属を貼付した蓋部５０ｂを使用すると、Ｑ値は８〜９と良好な状態になった。これは、蓋部５０ｂをステンレス鋼等の金属のままに、外側をステンレス鋼等の金属で形成しかつ内側に黄銅等の金属を貼付したケース部５０ａを使用しても同様であった。
【００３１】
次に、やはり時計外装に使用することを想定して、ケース部５０ａはステンレス鋼等の金属のままに、外側をステンレス鋼等の金属で形成し、アンテナの軸線を含む平面に対面すると共にアンテナが平行に投影される位置の内側面に凹部（図示せず）を形成し、この凹部に黄銅等の金属を係合した蓋部５０ｂを使用すると、Ｑ値は８〜１０、アンテナの利得も１〜３ｄＢ向上することができた。同様に、蓋部５０ｂはステンレス鋼等の金属のままに、外側をステンレス鋼等の金属で形成し、アンテナの軸部と相対する位置の内側面に凹部（図示せず）を形成し、この凹部に黄銅等の金属を係合したケース部５０ａを使用すると、やはりＱ値は８〜１０、アンテナの利得も１〜３ｄＢ向上した。これらは、凹部を形成することにより、アンテナの特性が低下するステンレス鋼等の金属とアンテナとの距離を離すことが出来、かつアンテナの特性を向上させる金属を凹部に係合したため、アンテナの特性が向上したと考えられる。
【００３２】
さらに、ケース部５０ａ、蓋部５０ｂ共に外側をステンレス鋼等の金属で形成し、それぞれの上記位置の内側面に凹部を形成し、この凹部に黄銅等の金属を係合したケース部５０ａ、蓋部５０ｂを使用すると、Ｑ値は９〜１１、アンテナの利得も２〜５ｄＢ向上した。
また、凹部を空隙のままにしておくと、時計ケースや裏蓋は変形してしまう可能性が大いにあり、凹部に係合した金属は、アンテナ特性向上の他、ケースや裏蓋の形状保持の役割も担っている。
ところで、上記ステンレス鋼の各部材をチタン、チタン合金で置き換えても同様の結果が得られた。
【００３３】
なお、ケース部５０ａ、蓋部５０ｂのそれぞれ凹部の位置を上記位置と異なり、アンテナから離れた箇所に設けてもアンテナの受信特性は向上するが、上記位置に設けたほど向上しなかった。よって、上記位置に設けるのが望ましい。
また、アンテナの特性は凹部の形状や大きさにはあまり依存しない結果が得られ、むしろ凹部に係合する金属の厚み、すなわちアンテナと時計ケース、裏蓋との距離が影響することがわかった。この結果については後述する。
【００３４】
上記実験結果から、受信感度が低下する金属で時計ケース３０や裏蓋３３を形成したと
しても、それぞれの内側面、またはいずれかの内側面に凹部を設け、凹部にアンテナの特性を向上させる金属を係合することで、電波時計としての特性を向上させることが可能であることが検証できた。
【００３５】
一方、実験に使用した金属の電気抵抗率を比較してみると、受信感度を低下させるチタンやステンレス鋼では、電気抵抗率が５５〜７４μΩ−ｃｍと高く、受信感度が良好となるアルミニウムでは、電気抵抗率が２．６９μΩ−ｃｍと低いことがわかった。そこで、電気抵抗率と受信感度との関係を検証するために各種金属を電気抵抗率に基づいて組み合わせたところ、受信感度が良好となる金属の電気抵抗率を７μΩ−ｃｍ以下に設定することにより、これに組み合わせる金属の電気抵抗率が高くても良好な受信感度を保つことが可能であることが判明した。
【００３６】
その結果、金、銀、銅、黄銅、アルミニウム、マグネシウム、亜鉛またはそれらの元素を２つ以上組み合わせた合金のいずれかからなるもののような電気抵抗率が７μΩ−ｃｍ以下の金属で非磁性部材４２、４３を形成すれば、外観品質に優れたチタン、チタン合金、ステンレス鋼、タングステンカーバイト、タンタルカーバイトのように電気抵抗率が高い金属で時計ケース３０および裏蓋３３を形成しても受信感度を良好にすることが可能であることが検証できた。
【００３７】
また、非磁性部材４２、４３の厚みと受信感度との関係を調べるため、図３に示すケース部５０ａと蓋部５０ｂをステンレス鋼（オーステナイト系）で形成し、ケース部５０ａの内側面に設けた凹部（図示せず）に薄いアルミニウム素材を係合し、その厚みを０（アルミニウム素材なし）から徐々に増加させる実験を行った。その結果、Ｑ値は、厚み０のときの８．９から厚みを増すと厚みが５００μｍのときの１４．３まで上昇し、厚みが１０００μｍのときの１４．６になるとそれ以上厚みを増してもほぼその値のままとなることがわかった。さらに、アンテナの利得も厚さ５００μｍ以上で約３ｄＢ向上することもわかった。
この傾向は、蓋部５０ｂに凹部を設け、そこにアルミニウム等を設けた場合も同様であった。また、アルミニウムの他、金、銀、銅、黄銅、マグネシウム、亜鉛またはそれらの元素を２つ以上組み合わせた合金のいずれかでも同様であった。
【００３８】
その結果、非磁性部材４２、４３の厚みが５０μｍになると利得およびＱ値が上昇し始め、１０００μｍ前後で利得およびＱ値が最も高い値で一定になるため、非磁性部材４２、４３の厚みを５０μｍ以上に設定することが好ましいことがわかった。また、その厚みの上限に関しては、時計ケース３０や裏蓋３３とムーブメント３４やアンテナ３７との間の距離、あるいは製造・組立時における非磁性部材４２、４３の取り扱い易さ、さらには時計ケース、裏蓋の強度等を考慮して２０００μｍ以下に設定することが好ましい。
【００３９】
上記各実験等の結果に基づけば、時計ケース３０と裏蓋３３は、チタン、チタン合金、ステンレス鋼、タングステンカーバイト、タンタルカーバイトのいずれか少なくとも１つで形成し、非磁性部材４２、４３は、電気抵抗率が７μΩ−ｃｍ以下の金、銀、銅、黄銅、アルミニウム、マグネシウム、亜鉛またはそれらの元素を２つ以上組み合わせた合金のいずれかで形成し、さらにその厚みを５０〜２０００μｍに設定することが最も好ましいことになる。なお、時計ケース３０や裏蓋３３に貫通孔を形成し、貫通孔に金、銀、銅、黄銅、アルミニウム、マグネシウム、亜鉛またはそれらの元素を２つ以上組み合わせた合金のいずれかよりなる嵌合部材を嵌合してもよいが、時計としての防水性が低下することは否めない。この場合、時計ケース３０や裏蓋３３と嵌合部材を溶接等公知の方法で接合して防水性を持たせ、その後時計ケース３０や裏蓋３３に表面処理を行い、時計ケース３０や裏蓋３３があたかも一体で成形されているようにするのが時計としての機能上、外観上好ましい。
【００４０】
また、非磁性部材４２、４３は、上記金属、合金の内の１部材だけで形成されている必要はなく、その中の少なくとも２つの部材の金属、合金を拡散接合、ロー付、接着、カシメ等によって接合することにより形成しても同様の効果が認められた。
【００４１】
次に、時計ケース３０および裏蓋３３と非磁性部材４２、４３との係合に関して説明する。時計ケース３０および裏蓋３３と非磁性部材４２、４３を圧入、カシメ、溶接、ロー付、接着剤により接合する。
【００４２】
また、非磁性部材４２、４３を形成する際に、時計ケース３０および裏蓋３３に密着するように形成して係合することも可能である。この場合には、湿式メッキによる電鋳、金属溶射法等により、非磁性部材４２、４３を時計ケース３０や裏蓋３３の所定の凹部の位置に形成する。ここでは、ステンレス鋼からなる裏蓋３３に銅を析出させて非磁性部材４２を形成する場合を例にとって説明する。はじめに、図４に示すように、裏蓋３３の立ち上がり部３３ａの内側にある所定部分を除く裏蓋３３の表面に、例えばエポキシ樹脂等の有機物からなるマスク６０を形成する。次に、マスク６０が形成されていない裏蓋３３の内面に電解脱脂を施し、水洗いする。その後、裏蓋３３に陰極を接続し、硫酸銅浴中で電鋳を行い、銅６１を析出させる。このときの浴の組成と条件は、硫酸銅２５０ｇ／ｌ（リットル）、硫酸６０ｇ／ｌ、温度２０〜５０℃、電流密度２〜２０Ａ／ｄｍ２、時間２０〜３０時間（析出する厚さに応じて設定する。なお、この条件においては６時間で約１５０μｍの厚さとなる。）、ｐＨ０．８〜１．１に設定する。このように所定の厚さまで銅６１を析出させた後、有機溶剤中に裏蓋３３を漬浸してマスク６０を剥離する。その後、裏蓋３３を水洗いし、乾燥させることにより、裏蓋３３の所定位置に非磁性部材４２を形成することができる。
【００４３】
なお、図１に示すケース構造においては、時計ケース３０と裏蓋３３にそれぞれ非磁性部材４３、４２を設けているが、時計ケース３０と裏蓋３３の一方に非磁性部材を設けただけでも受信感度を高めることができる。従って、必ずしも時計ケース３０と裏蓋３３の両方に非磁性部材を設ける必要はない。
【００４４】
また、非磁性部材４２、４３とアンテナ３７との間に樹脂板を設けたり、非磁性部材４２、４３の表面を樹脂層で覆うことにより、アンテナ３７と非磁性部材４２、４３とが接触してアンテナ３７が損傷することを防ぐように構成しても良い。
さらに、時計ケースや裏蓋に公知の表面処理を行ってもアンテナの受信特性に影響がないことも確認されている。
【図面の簡単な説明】
【００４５】
【図１】本発明の実施例に係る電波時計のケース構造を示す断面図である。
【図２】受信状態の優劣を示すアンテナの利得およびＱ値の算出例を示す説明図である。
【図３】実験用外装を用いた受信実験の実験用設備を示す説明図である。
【図４】電鋳により非磁性部材を形成する場合の形成例を示す裏蓋の断面図である。
【図５】電波時計の機能の概略を示すブロック図である。
【図６】ケースの一部に金属を用いた電波腕時計の構造の従来例を示す断面図である。
【符号の説明】
【００４６】
１ アンテナ
２ 電波時計受信機
３ ＣＰＵ
４ 表示駆動部
５ 入力装置
１０ ケース
１１ 胴
１２ 裏蓋
１３ 風防
１４ ムーブメント
１５ 文字板
１６ 針
１７ バーアンテナ
１８ 磁芯部材
２０ コイル
２１ 導線
２２ 縁枠
２３ ガラス
３０ 時計ケース
３０ａ 段部
３０ｂ 内方突出部
３０ｃ 内側面
３０ｄ  凹部
【００４７】
３１ パッキン
３２ ガラス
３３ 裏蓋
３３ａ 立ち上がり部
３３ｃ 内側面
３３ｄ  凹部
３４ ムーブメント
３５ 文字板
３６ 指針
３７ アンテナ
３８ 磁芯部材
４０ コイル
４２、４３ 非磁性部材
４４ パッキン
４５ 樹脂中枠
５０ 実験用外装
５０ａ ケース部
５０ｂ 蓋部
５１ 実験用アンテナ
５２ 樹脂板
５３ 送信アンテナ
６０ マスク
６１ 銅
【図１】
2006275580.tif 000003
【図２】
2006275580.tif 000004
【図３】
2006275580.tif 000005
【図４】
2006275580.tif 000006
【図５】
2006275580.tif 000007
【図６】
2006275580.tif 000008